【手続補正書】
【提出日】平成28年7月1日(2016.7.1)
【手続補正１】
【補正対象書類名】明細書
【補正対象項目名】００７５
【補正方法】変更
【補正の内容】
【００７５】
肢に巻く間、従事者は、張力インジケータの色付き棒を、弾性包帯を伸ばす案内として利用してもよい。この場合、緑色のセグメントが正方形として見えるときは、５０％の伸びを示し、青色セグメントが正方形を示しているときは、１００％の伸び、赤色セグメントが正方形であるときは、２００％の伸び、黒色のセグメントが正方形として見えるときは、３００％の伸びを示す。巻き工程が完了すると、従事者は、最初に、弾性包帯包装（例えば、図７）から、伸び又は圧力分析のウェブリンクに自動的に接続するであろうＵＰＣを、スキャンしてもよい。あるいは、従事者は、そのようなコンピュータアプリケーションを自分のスマートフォンにダウンロードしてもよい。プログラムは、使用者に、引き伸ばされた張力インジケータのデジタル写真を撮ることを促す。プログラムは、更に、使用者に、引き伸ばされていない張力インジケータのデジタル写真を撮ることを促してもよく、又はそのような情報は、あらかじめプログラムされているか、又はスキャンされたＵＰＣコードと対応付けされている。プログラムは、引き伸ばされた張力インジケータと引き伸ばされていない張力インジケータとの間の寸法の差を数学的に計算し、弾性包帯が、適切な範囲内で引き伸ばされたかどうかに関する肯定表示又は否定表示を提供する。
本発明の実施態様の一部を以下の〔態様１〕−〔態様４９〕に記載する。
〔態様１〕
プロセッサと、グラフィカルユーザインタフェースとを有するモバイルコンピューティング装置上で、コンピュータで実施される弾性包帯の伸びを検知する方法であって、
弾性包帯の引き伸ばされた張力インジケータのデジタル写真を含む画像データを受け取ることと、
前記引き伸ばされた張力インジケータの幾何学的特徴を、所定の伸び状態を画定するモデルの幾何学的特徴と比較することで、前記弾性包帯の伸びを決定するために、プロセッサで前記画像データを分析することと、
前記決定された伸びと対応付けられた出力の証印を提供すること、とを含む、方法。
〔態様２〕
前記出力の証印は、前記グラフィカルユーザインタフェースによって表示される、又はオーディオ証印である、態様１に記載のコンピュータで実施される方法。
〔態様３〕
前記デジタル写真、又は第２の受け取られたデジタル写真は、引き伸ばされていない状態の前記引き伸ばされた張力インジケータを含む、態様１又は２に記載の方法。
〔態様４〕
前記所定の伸び状態を画定する前記モデルの幾何学的特徴は、参照ライブラリに提供される、態様１〜３に記載の方法。
〔態様５〕
前記参照ライブラリの前記所定の伸び状態を画定する前記モデルの幾何学的特徴は、コンピュータ可読コードと対応付けられる、態様４に記載の方法。
〔態様６〕
前記弾性包帯又は張力インジケータは、前記コンピュータ可読コードを含み、前記コードは前記デジタル写真から読み取ることができる、態様５に記載の方法。
〔態様７〕
前記弾性包帯はコンピュータ可読コードを含まず、コンピュータ可読コードは前記グラフィカルユーザインタフェースによって別個に受け取られる、態様５に記載の方法。
〔態様８〕
前記コンピュータ可読コードは、前記コンピュータ可読コードをスキャンすること、又は前記コンピュータ可読コードを手入力することによって、前記グラフィカルユーザインタフェースから受け取られる、態様７に記載の方法。
〔態様９〕
前記分析は、前記決定された伸びと、応力−歪みの証印とを用いることによって、前記引き伸ばされた弾性包帯の張力を決定することを含む、態様１〜８に記載の方法。
〔態様１０〕
前記参照ライブラリは、更に、前記弾性包帯と対応付けられた応力−歪みの証印を含む、態様９に記載の方法。
〔態様１１〕
前記分析は、前記弾性包帯の幅（Ｗ）を利用する、態様１〜１０に記載の方法。
〔態様１２〕
前記幅は、前記デジタル写真の前記分析から決定される、又は前記参照ライブラリは、更に、前記幅の証印を含む、又は前記幅の証印は別個に受け取られる、態様１１に記載の方法。
〔態様１３〕
前記弾性包帯は、三次元の肢に巻かれ、前記分析は、前記三次元の肢の円周（Ｃ）を利用する、態様１〜１２に記載の方法。
〔態様１４〕
前記円周の証印は、前記デジタル写真の前記分析から決定される、又は前記円周は、別個に受け取られる、態様１３に記載の方法。
〔態様１５〕
前記弾性包帯は、いくつかの層で三次元の肢に巻かれ、前記分析は、巻かれた層数（Ｎ）を利用する、態様１３又は１４に記載の方法。
〔態様１６〕
前記巻かれた層数は、前記デジタル写真の前記分析から決定される、又は前記巻かれた層数は、別個に受け取られる、態様１５に記載の方法。
〔態様１７〕
前記分析は、以下のラプラスの方程式を利用する前記加圧力を計算することを含む、態様９〜１６のいずれか一項に記載のコンピュータで実施される方法。
加圧力（ｍｍＨｇ）＝（Ｔｎ  Ｘ  ４３６０）／ＣＷ
（式中、Ｔは張力（ｋｇｆ）、Ｎは巻かれた層数、Ｃは円周（ｃｍ）、及びＷは包帯の幅（ｃｍ）である。）
〔態様１８〕
巻かれた層数は、重複の度合いの分数で掛けた各層の合計によって決定される、態様１５〜１７に記載の方法。
〔態様１９〕
前記出力の証印は、前記包帯の加圧力の表示である、態様１７又は１８に記載のコンピュータで実施される方法。
〔態様２０〕
前記出力の証印は、前記弾性包帯を前記三次元の肢に巻くことに関するオーディオ指示及び／又は表示された指示を含む、態様１９に記載のコンピュータで実施される方法。
〔態様２１〕
前記参照ライブラリは、更に、弾性包帯の巻き方の説明、カルテへのリンク、弾性包帯販売代理人へのリンク、弾性包帯サプライヤーへのリンク、又は弾性包帯の相談サイトへのダイレクト接続から選択されたコンピュータ可読コードと対応付けられた追加情報を含む、態様１〜２０に記載のいずれか一項に記載の方法。
〔態様２２〕
コンピュータで実施される弾性包帯の伸びを検知する方法であって、
弾性包帯の引き伸ばされた張力インジケータのデジタル写真を含む画像データを受け取ることと、
前記引き伸ばされた張力インジケータの幾何学的特徴を、所定の伸び状態を画定するモデルの幾何学的特徴と比較することで、前記弾性包帯の伸びを決定するために、前記画像データを分析することと、
前記決定された伸びと対応付けられた出力の証印を提供すること、とを含む、方法。
〔態様２３〕
前記画像データは、モバイルコンピューティング装置によって受け取られる、態様２２に記載のコンピュータで実施される方法。
〔態様２４〕
前記出力の証印は、モバイルコンピューティング装置に提供される、態様２２〜２３に記載のコンピュータで実施される方法。
〔態様２５〕
前記方法は、更に、態様２〜２１で説明される特徴を任意で１つ又は組み合わせて含む、態様２２〜２４に記載のコンピュータで実施される方法。
〔態様２６〕
コンピュータで実施される弾性包帯の加圧力を検知する方法であって、
弾性包帯の引き伸ばされた張力インジケータのデジタル写真を含む画像データを受け取ることと、
前記弾性包帯の前記伸びを決定するための前記画像データの分析は、前記引き伸ばされた張力インジケータの幾何学的特徴を、所定の伸び状態を画定するモデルの幾何学的特徴と比較することで決定されることと、
以下のラプラスの方程式を利用して前記加圧力を計算すること、とを含む方法。
加圧力（ｍｍＨｇ）＝（ＴＮ  Ｘ  ４３６０）／ＣＷ
（式中、Ｔは張力（ｋｇｆ）、Ｎは巻かれた層数、Ｃは円周（ｃｍ）、及びＷは包帯の幅（ｃｍ）であり、Ｔは、前記弾性包帯の前記伸びと応力−歪みの証印とによって決定され、前記応力−歪みの証印Ｎ、Ｃ、及びＷは、別個に受け取られた、又は前記弾性包帯と対応付けられたコンピュータ可読コードと対応付けられた参照ライブラリに提供された、デジタル写真の分析から決定され、
加圧力と対応付けられた証印を提供する。）
〔態様２７〕
コンピュータで実施されるシステムであって、
弾性包帯の引き伸ばされた張力インジケータのデジタル写真を表わす証印を受け取ることが可能な画像モジュールと、
前記引き伸ばされた張力インジケータの幾何学的特徴を、所定の伸び状態を画定するモデルの幾何学的特徴と比較することが可能な分析モジュールと、
前記決定された伸びと対応付けられた出力の証印を提供することが可能なユーザインターフェースモジュールと、を含むシステム。
〔態様２８〕
前記分析モジュールは、更に、前記決定された伸びと応力−歪みの証印とを用いることで前記引き伸ばされた包帯の張力を決定することと、前記決定された張力と対応付けられた出力の証印を提供すること、とが可能である、態様２７に記載のコンピュータで実施されるシステム。
〔態様２９〕
前記分析モジュールは、更に、前記引き伸ばされた包帯の加圧力を計算することと、前記決定された加圧力と対応付けられた出力の証印を提供すること、とが可能である、態様２８に記載のコンピュータで実施されるシステム。
〔態様３０〕
グラフィカルユーザインタフェースを有するモバイルコンピューティング装置上で、コンピュータで実施される弾性包帯の伸びを検知する方法であって、
弾性包帯の引き伸ばされた張力インジケータのデジタル写真を含む画像データを提供することと、
前記引き伸ばされた張力インジケータの幾何学的特徴を、所定の伸び状態を画定するモデルの幾何学的特徴と比較することで、前記弾性包帯の伸びを決定するために、前記画像データを分析する、又は分析のために前記画像データを送信すること、
前記決定された伸びと対応付けられた出力の証印を受け取ること、とを含む方法。
〔態様３１〕
前記方法は、更に、態様２〜２１で説明される特徴を任意で１つ又は組み合わせて含む、態様３０に記載のコンピュータで実施される方法であって、但し、前記特徴は受け取られるのではなく提供される、方法。
〔態様３２〕
弾性包帯の引き伸ばされた張力インジケータのデジタル写真を表わす証印と、コンピュータ可読コードと、を含む、非一時的なコンピュータ可読媒体。
〔態様３３〕
前記コンピュータ可読コードは、引き伸ばされていない張力インジケータ、前記弾性包帯の応力−歪みの証印、前記弾性包帯の幅、弾性包帯の巻き方の説明、カルテへのリンク、弾性包帯販売代理人へのリンク、弾性包帯サプライヤーへのリンク、又は弾性包帯の相談サイトへのダイレクト接続と対応付けられる、態様３２に記載の非一時的なコンピュータ可読媒体。
〔態様３４〕
前記コンピュータ可読コードは、バーコード、又は二次元マトリックスコードである、態様３２又は３３に記載の非一時的なコンピュータ可読媒体。
〔態様３５〕
巻かれた層は、引き伸ばされた張力インジケータと、コンピュータ可読コードとを含む、少なくとも１つの層の弾性包帯を含む三次元の肢。
〔態様３６〕
前記コンピュータ可読コードは、引き伸ばされていない張力インジケータ、前記弾性包帯の応力−歪みの証印、前記弾性包帯の幅、弾性包帯の巻き方の説明、カルテへのリンク、弾性包帯販売代理人へのリンク、弾性包帯サプライヤーへのリンク、又は弾性包帯の相談サイトへのダイレクト接続と対応付けられる、態様３５に記載のコンピュータ可読の証印。
〔態様３７〕
前記コンピュータ可読コードは、バーコード、又は二次元マトリックスコードである、態様３５又は３６に記載の三次元の肢。
〔態様３８〕
張力インジケータとコンピュータ可読コードとを含む、弾性包帯。
〔態様３９〕
前記コンピュータ可読コードは、引き伸ばされていない張力インジケータ、前記弾性包帯の応力−歪みの証印、前記弾性包帯の幅、弾性包帯の巻き方の説明、カルテへのリンク、弾性包帯販売代理人へのリンク、弾性包帯サプライヤーへのリンク、又は弾性包帯の相談サイトへのダイレクト接続と対応付けられる、態様３８に記載の弾性包帯。
〔態様４０〕
前記コンピュータ可読コードは、バーコード、又は二次元マトリックスコードである、態様３８又は３９に記載の弾性包帯。
〔態様４１〕
前記張力インジケータは、前記コンピュータ可読コードを含む、態様３８〜４０に記載の弾性包帯。
〔態様４２〕
弾性包帯であって、
一式の幾何学的な張力インジケータの反復パターンであって、前記式は少なくとも３つの別個のマーキングを含み、別個のマーキングはそれぞれ、前記包帯の異なる伸びと対応付けられる、反復パターンを含む、弾性包帯。
〔態様４３〕
前記弾性包帯は、重複の案内として使用するのに好適である前記長さと平行して整合されたマーキングを含む、態様４２に記載の弾性包帯。
〔態様４４〕
前記弾性包帯は、更に、コンピュータ可読コードを含む、態様４２又は４３に記載の弾性包帯。
〔態様４５〕
前記コンピュータ可読コードは、引き伸ばされていない張力インジケータ、前記弾性包帯の応力−歪みの証印、前記弾性包帯の幅、弾性包帯の巻き方の説明、カルテへのリンク、弾性包帯販売代理人へのリンク、弾性包帯サプライヤーへのリンク、又は弾性包帯の相談サイトへのダイレクト接続と対応付けられる、態様４４に記載の弾性包帯。
〔態様４６〕
前記コンピュータ可読コードは、バーコード、又は二次元マトリックスコードである、態様４５に記載の弾性包帯。
〔態様４７〕
別個のマーキングはそれぞれ、前記伸びる方向に異なる寸法を有する、態様４２〜４６に記載の弾性包帯。
〔態様４８〕
別個のマーキングはそれぞれ、異なる色を有する、態様４７に記載の弾性包帯。
〔態様４９〕
前記張力インジケータは、前記コンピュータ可読コードを含む、態様４４〜４６に記載の弾性包帯。
【手続補正２】
【補正対象書類名】特許請求の範囲
【補正対象項目名】全文
【補正方法】変更
【補正の内容】
【特許請求の範囲】
【請求項１】
プロセッサとグラフィカルユーザインタフェースとを有するモバイルコンピューティング装置上で、コンピュータで実施される弾性包帯の伸びを検知する方法であって、
弾性包帯の引き伸ばされた張力インジケータのデジタル写真を含む画像データを受け取ることと、
前記引き伸ばされた張力インジケータの幾何学的特徴を、所定の伸び状態を画定するモデルの幾何学的特徴と比較することで、前記弾性包帯の伸びを決定するために、プロセッサで前記画像データを分析することと、
前記決定された伸びと対応付けられた出力の証印を提供することと、
を含む方法。
【請求項２】
前記出力の証印は、前記グラフィカルユーザインタフェースによって表示される、又はオーディオ証印である、請求項１に記載のコンピュータで実施される方法。
【請求項３】
前記分析は、前記決定された伸びと、応力−歪みの証印とを用いることによって、前記引き伸ばされた弾性包帯の張力を決定することを含む、請求項１に記載の方法。
【請求項４】
前記分析は、以下のラプラスの方程式を利用する前記加圧力を計算することを含む、請求項３に記載のコンピュータで実施される方法。
加圧力（ｍｍＨｇ）＝（Ｔｎ  Ｘ  ４３６０）／ＣＷ
（式中、Ｔは張力（ｋｇｆ）、Ｎは巻かれた層数、Ｃは円周（ｃｍ）、及びＷは包帯の幅（ｃｍ）である。）